(57)【要約】【課題】  携帯端末を用いた無線通信の通信システムが広く普及してくると、データの転送手段に問題が生じてくる。例えば、音楽や映像データを携帯端末に転送するとき、膨大なデータの転送が必要となってくる。しかしながら、無線通信は、シリアルデータ転送であり、周波数帯も限られることから、膨大なデータ転送を可能とする通信システムを実現することは難しかった。【解決手段】  本発明は、上記を鑑み本発明の通信システムは、無線通信に加えて有線通信を用いることを特徴とする。無線通信を用いたデータ転送に加えて、有線通信を用いることで、基地局と携帯端末間での高速通信を可能とする。【選択図】図１
2006311400.tif 000002
【特許請求の範囲】
【請求項１】
基地局と、
前記基地局に有線接続された上位基地局と、
前記上位基地局に有線接続されたサーバと、
前記基地局の範囲内に設けられ、前記基地局及び前記上位基地局を介して有線通信を行うことができる複数の公衆端末と、
前記範囲内から無線通信を行う携帯端末と、
を有し、
無線通信を用いて、前記携帯端末から検索のためのコマンドが前記基地局へ送信され、
有線通信を用いて、前記基地局から前記検索の結果に基づくデータを取得するコマンドが前記上位基地局へ送信され、
前記上位基地局は、前記サーバから前記データを取得し、前記取得されたデータを前記公衆端末へダウンロードさせ、
前記公衆端末から前記携帯端末へダウンロードさせることを特徴とする通信システム。
【請求項２】
基地局と、
前記基地局に有線接続された上位基地局と、
前記上位基地局に有線接続されたサーバと、
前記基地局の範囲内に設けられ、前記基地局及び前記上位基地局を介して有線通信を行うことができる複数の公衆端末と、
前記範囲内から無線通信を行う携帯端末と、
を有し、
無線通信を用いて、前記携帯端末から検索のためのコマンドが前記基地局へ送信され、
有線通信を用いて、前記基地局から前記検索の結果に基づくデータを取得するコマンドが前記上位基地局へ送信され、
前記上位基地局は、前記サーバから前記データを取得し、前記携帯端末と前記公衆端末が有線接続する前に、前記取得されたデータを前記公衆端末へダウンロードさせ、
前記公衆端末から前記携帯端末へダウンロードさせることを特徴とする通信システム。
【請求項３】
請求項１又は２において、
前記サーバには、音楽、又は映像に関するデータが蓄積されていることを特徴とする通信システム。
【請求項４】
請求項１又は２において、
前記サーバには、メールに添付される資料が蓄積されていることを特徴とする通信システム。
【請求項５】
請求項１乃至４のいずれか一において、
前記携帯端末は携帯電話であることを特徴とする通信システム。
【請求項６】
請求項１乃至５のいずれか一において、
前記公衆端末は公衆電話であることを特徴とする通信システム。
【請求項７】
無線通信を用いて、携帯端末から基地局へ検索を実行し、
前記基地局から前記検索の結果に基づくデータを、公衆端末から有線通信を用いて前記携帯端末へダウンロードする通信方法であって、
第１の領域で前記無線通信を行い、
第２の領域で前記有線通信行うことを特徴とする通信方法。
【請求項８】
無線通信を用いて、携帯端末から基地局へ検索を実行し、
前記基地局から前記検索の結果に基づくデータを、公衆端末から有線通信を用いて前記携帯端末へダウンロードする通信方法であって、
第１の領域で前記無線通信を行い、且つ前記無線通信を用いて前記データを前記公衆端末へダウンロードするようコマンドを送信し、
第２の領域で前記有線通信を行うことを特徴とする通信方法。
【請求項９】
基地局と、
前記基地局に有線接続された上位基地局と、
前記上位基地局に有線接続されたサーバと、
前記基地局の範囲内に設けられ、前記基地局及び前記上位基地局を介して有線通信を行うことができる複数の公衆端末と、
前記範囲内から無線通信を行う携帯端末と、
を有する通信方法であって、
無線通信を用いて、前記携帯端末から検索のためのコマンドを前記基地局へ送信し、
有線通信を用いて、前記基地局から前記検索の結果に基づくデータを取得するコマンドを前記上位基地局へ送信し、
前記上位基地局は、前記サーバから前記データを取得し、前記取得されたデータを前記公衆端末へダウンロードし、
前記公衆端末から前記携帯端末へダウンロードすることを特徴とする通信方法。
【請求項１０】
基地局と、
前記基地局に有線接続された上位基地局と、
前記上位基地局に有線接続されたサーバと、
前記基地局の範囲内に設けられ、前記基地局及び前記上位基地局を介して有線通信を行うことができる複数の公衆端末と、
前記範囲内から無線通信を行う携帯端末と、
を有する通信方法であって、
無線通信を用いて、前記携帯端末から検索のためのコマンドを前記基地局へ送信し、
有線通信を用いて、前記基地局から前記検索の結果に基づくデータを取得するコマンドを前記上位基地局へ送信し、
前記上位基地局は、前記サーバから前記データを取得し、前記携帯端末と前記公衆端末が有線接続する前に、前記取得されたデータを前記公衆端末へダウンロードし、
前記公衆端末から前記携帯端末へダウンロードすることを特徴とする通信方法。
【請求項１１】
請求項７乃至１０のいずれか一において、
前記基地局から、前記公衆端末の所在の情報が含まれた情報を取得することを特徴とする通信方法。
【請求項１２】
請求項７乃至１１のいずれか一において、
前記携帯端末は携帯電話であることを特徴とする通信方法。
【請求項１３】
請求項７乃至１２のいずれか一において、
前記公衆端末は公衆電話であることを特徴とする通信方法。
【発明の詳細な説明】
【技術分野】
【０００１】
本発明は、通信時間を短縮させ、膨大なデータを転送可能とするための、無線通信及び有線通信を用いた通信システムに関する。
【背景技術】
【０００２】
携帯電話と電波基地局とからなるシステムは、無線により広い地域でデータをやり取りすることができる。個人が携帯電話を携帯することで、手元にないデータを入手することや、遠隔地の電子機器を制御することも可能となる。
【０００３】
このような遠隔地の電子機器を制御するシステムとして、家庭内メディア配信システムが提案されている（特許文献１参照）。上記メディア配信システムは、携帯端末による無線通信又は有線通信によって電子機器を制御する制御手段を有し、携帯端末からメディアサーバに再生要求があった場合、メディアサーバにおいて記憶装置に記憶されている情報と、位置検出手段により識別した位置情報を元に、有線通信路上にある電子機器のうち、適するものを選択して、映像や音声を配信するシステムである。
【特許文献１】特開２００２−４９５５６号公報
【発明の開示】
【発明が解決しようとする課題】
【０００４】
このような携帯端末を用いた無線通信の通信システムが広く普及してくると、データの転送手段に問題が生じてくる。例えば、音楽や映像データを携帯端末に転送（あるいはダウンロード）する用途が提案されるが、この方法では、膨大なデータの転送が必要となってくる。しかしながら、無線通信は、シリアルデータ転送であり、周波数帯も限られることから、膨大なデータ転送を可能とする通信システムを実現することは難しかった。
【０００５】
上記問題は携帯端末と基地局との間であらゆるデータの転送に無線通信を用いるところが律速となっている。そこで本発明は、映像などの膨大なデータ、優先度の低いデータの転送のために、無線通信とは別の転送経路を準備することでこの問題を解決する。そして本発明は、携帯端末と基地局との間のデータ転送をスムーズに行い、且つ携帯端末へ膨大なデータの通信を行うことを可能とする通信システムを提供することを課題とする。
【課題を解決するための手段】
【０００６】
上記を鑑み本発明の通信システムは、無線通信に加えて有線通信を用いることを特徴とする。無線通信を用いたデータ転送に加えて、有線通信を用いることで、基地局と携帯端末間での高速通信を可能とする。
【０００７】
本発明の通信システムにおいて、無線通信では小さいデータ量を扱い、有線通信では大きいデータ量を扱うことができる。
【０００８】
但し本発明は、必ずしもデータ量の大小により無線通信と有線通信を分ける必要はない。例えば、優先度の高いデータと低いデータ、リアルタイム性の高いデータと低いデータとに分けることも可能である。また通信課金によって、無線通信又は有線通信を選択することも可能である。
【０００９】
また本発明の通信システムにおいて、無線通信によるコマンド転送により、有線通信を用いたデータ転送を実行させ、携帯端末と有線通信を行う端末に予めデータをダウンロードすることができる。その結果、データを得る時間を短縮することができる。
【００１０】
本発明の通信システムを実現するため携帯端末は、無線通信手段に加えて、有線通信手段を搭載することを特徴とする。
【００１１】
以下に具体的な本発明の構成を示す。
【００１２】
本発明の一形態は、基地局と、基地局に有線接続された上位基地局と、上位基地局に有線接続されたサーバと、基地局の範囲内に設けられ、基地局及び上位基地局を介して有線通信を行うことができる複数の公衆端末と、範囲内から無線通信を行う携帯端末と、を有し、無線通信を用いて、携帯端末から検索のためのコマンドが基地局へ送信され、有線通信を用いて、基地局から検索の結果に基づくデータを取得するコマンドが上位基地局へ送信され、上位基地局は、サーバからデータを取得し、取得されたデータを公衆端末へダウンロードさせ、公衆端末から携帯端末へダウンロードさせることを特徴とする通信システムである。
【００１３】
本発明の別形態は、基地局と、基地局に有線接続された上位基地局と、上位基地局に有線接続されたサーバと、基地局の範囲内に設けられ、基地局及び上位基地局を介して有線通信を行うことができる複数の公衆端末と、範囲内から無線通信を行う携帯端末と、を有し、無線通信を用いて、携帯端末から検索のためのコマンドが基地局へ送信され、有線通信を用いて、基地局から検索の結果に基づくデータを取得するコマンドが上位基地局へ送信され、上位基地局は、サーバからデータを取得し、携帯端末と公衆端末が有線接続する前に、取得されたデータを公衆端末へダウンロードさせ、公衆端末から携帯端末へダウンロードさせることを特徴とする通信システムである。
【００１４】
本発明の別形態は、無線通信を用いて、携帯端末から基地局へ検索を実行し、基地局から検索の結果に基づくデータを、公衆端末から有線通信を用いて携帯端末へダウンロードする通信方法であって、第１の領域で無線通信を行い、第２の領域で有線通信行うことを特徴とする通信方法である。
【００１５】
本発明の別形態は、無線通信を用いて、携帯端末から基地局へ検索を実行し、基地局から検索の結果に基づくデータを、公衆端末から有線通信を用いて携帯端末へダウンロードする通信方法であって、第１の領域で無線通信を行い、且つ無線通信を用いてデータを公衆端末へダウンロードするようコマンドを送信し、第２の領域で有線通信を行うことを特徴とする通信方法である。
【００１６】
本発明の別形態は、基地局と、基地局に有線接続された上位基地局と、上位基地局に有線接続されたサーバと、基地局の範囲内に設けられ、基地局及び上位基地局を介して有線通信を行うことができる複数の公衆端末と、範囲内から無線通信を行う携帯端末と、を有する通信方法であって、無線通信を用いて、携帯端末から検索のためのコマンドを基地局へ送信し、有線通信を用いて、基地局から検索の結果に基づくデータを取得するコマンドを上位基地局へ送信し、上位基地局は、サーバからデータを取得し、取得されたデータを公衆端末へダウンロードし、公衆端末から携帯端末へダウンロードすることを特徴とする通信方法である。
【００１７】
本発明の別形態は、基地局と、基地局に有線接続された上位基地局と、上位基地局に有線接続されたサーバと、基地局の範囲内に設けられ、基地局及び上位基地局を介して有線通信を行うことができる複数の公衆端末と、範囲内から無線通信を行う携帯端末と、を有する通信方法であって、無線通信を用いて、携帯端末から検索のためのコマンドを基地局へ送信し、有線通信を用いて、基地局から検索の結果に基づくデータを取得するコマンドを上位基地局へ送信し、上位基地局は、サーバからデータを取得し、携帯端末と公衆端末が有線接続する前に、取得されたデータを公衆端末へダウンロードし、公衆端末から携帯端末へダウンロードすることを特徴とする通信方法である。
【００１８】
このような本発明の通信システムは、優先度の高い、通話やメールといったデータの転送は無線によるリアルタイム転送を行い、映像などの膨大なデータは、高速の有線通信を用いたインフラストラクチャー（あるいは単にインフラ）を利用することを特徴とする。具体的には、公衆電話のようなイメージがわかりやすく、公衆端末と呼ぶことにする。
【発明の効果】
【００１９】
本発明により、無線通信のみでデータ転送を行う場合よりも、有線通信と無線通信を有効に組み合わせてデータ転送を行うことで、時間的に非常に有利なシステムを実現することができる。特に本システムは、データが膨大になるほど、本発明は顕著な効果を奏する。
【００２０】
本発明は公衆端末とサーバ間は有線通信とし、かつ、公衆端末と携帯端末間も有線通信とすることで、高速通信を実現することができる。
【００２１】
本発明により、従来画像データなどの大きなデータを携帯端末へ転送することで生じていた、基地局が混雑して通信できないもしくは非常に遅い状況を防ぐことができる。その結果、通話やメールといったリアルタイム性の高いデータの無線転送をスムーズに行うことが可能となる。
【発明を実施するための最良の形態】
【００２２】
以下に、本発明の実施の形態を図面に基づいて説明する。但し、本発明は多くの異なる態様で実施することが可能であり、本発明の趣旨及びその範囲から逸脱することなくその形態及び詳細を様々に変更し得ることは当業者であれば容易に理解される。従って、本実施の形態の記載内容に限定して解釈されるものではない。なお、実施の形態を説明するための全図において、同一部分又は同様な機能を有する部分には同一の符号を付し、その繰り返しの説明は省略する。
【００２３】
（実施の形態１）
本実施の形態では、無線通信及び有線通信を用いた通信システムについて説明する。
【００２４】
本発明の通信システムは、携帯端末、公衆端末、基地局、上位基地局、サーバなどから構成され、携帯端末と、公衆端末と、基地局との通信携帯に特徴がある。上位基地局、もしくは基地局は、有線ネットワークにより各種サーバやネットワーク上のあらゆるデータと通信を行うことが可能である。以下に具体的な通信システムを示す。
【００２５】
図１に示すように、ネットワーク１００を介して各種サーバ１０１に有線接続された上位基地局１０２がある。サーバには、音楽や映像をはじめとしてあらゆるデータが蓄積され、常時データが更新されていく。上位基地局１０２は、複数の基地局（１）から（ｍ）（ｍは自然数）との有線通信が可能である。すなわち、上位基地局１０２は、複数の基地局と有線接続されている。また上位基地局１０２は、上記基地局の通信区域内に設けられた複数の公衆端末（１）から（ｎ）（ｎは自然数）と有線通信が可能である。すなわち上位基地局１０２は、複数の公衆端末と有線接続されている。
【００２６】
携帯端末は、無線通信を用いて基地局とデータ通信を行うことができる。当該通信を可能とするため、携帯端末は無線通信手段、具体的にはアンテナ及びRF回路を有する。このような携帯端末と基地局との無線通信は、周波数分割多重アクセス（FDMA）方式、符号分割多重接続（CDMA）方式や時分割多重アクセス（TDMA）方式などを用いて行うことができる。すなわち基地局は、割り当てられた領域内の携帯端末と、FDMA 方式、CDMA方式やTDMA方式などで無線通信を行うことができる。
ＦＤＭＡ方式は、周波数帯域を細かく分割し、通信時に各使用者にそのうちの一つを割り当てる方式であり、TDMA方式は、時間軸を一定間隔に区切り、各使用者に所定の間隔を割り当てる方式であり、CDMA方式は時間の代わりに、各使用者には信号を広い帯域へ拡散するための拡散符号を割り当てる方式である。勿論これらの方式を組み合わせてもよい。このような携帯端末として、携帯電話を用いることができる。
【００２７】
基地局は、典型的には、数キロ四方に１つという間隔で配置することができる。また上位基地局は複数の基地局に対して一つ設けられる。そして基地局は、上位基地局を介して、他の基地局やネットワークと接続される。
【００２８】
さらに携帯端末と公衆端末とは有線通信を行うことができる。そのため携帯端末は、公衆端末と有線通信を用いてデータ通信を行うための手段、具体的には、外部端子及び外部信号制御回路を有する。すなわち、携帯端末は、公衆端末と有線接続することが可能である。
【００２９】
公衆端末は、有線ネットワークにより上位基地局、あるいは各種サーバと接続することができ、公衆端末に設けられたタッチパネルなどで、ネットワーク上のデータをダウンロードすることができる。このような公衆端末は、数百メートルから１キロ四方に１つ以上あることが好ましい。例えば、公衆電話のような密度で設けられる形態、あるいは様々なコンビニエンスストアに設けられる形態をあげることができる。
【００３０】
このような本発明の携帯端末は、基地局と無線通信を行い、他の携帯端末へデータを転送したり、ネットワーク上のデータにアクセスすることができ、加えて、公衆端末と有線で接続することができるため、公衆端末上のデータを高速にダウンロードすることができる。すなわち本発明の携帯端末は、無線通信手段に加えて、有線通信手段を搭載する。
【００３１】
以上のようにして、本発明の通信システムが構成される。
【００３２】
次に、このような通信システムにおいて、携帯端末を携帯する第一者が、携帯端末を携帯する第二者へ、あるデータ1を転送する場合を想定して説明する。
【００３３】
まず、第一者は携帯端末より、データ１を格納するアドレス（アドレス１とする）を基地局へ転送する。アドレス自体のデータ量は小さいので無線通信による転送を用いる。
【００３４】
次に、アドレス１を受信した第二者は、公衆端末へ向かい、公衆端末にて、入手したアドレス１をもとに、データ１を携帯端末へ転送する。具体的には、データ１を公衆端末へ転送し、さらに公衆端末から携帯端末へ転送する。これらのデータ転送はいずれも有線通信によるものであり、高速に行うことができる。特に、公衆端末から携帯端末へのデータ転送は、局所的な通信であり非常に高速に行うことができる。
【００３５】
このように本発明の携帯端末は、アドレス等を送受信するための無線通信手段に加えて、公衆端末とデータを転送するための有線通信手段を搭載する。
【００３６】
従って、第二者がデータ１を入手するまでの時間は、公衆端末にたどり着くまでの時間と、データ１を公衆端末へ転送する時間と、データ１を携帯端末へ転送する時間との和ということができる。これは、データが膨大になるほど、無線通信のみで入手する場合よりも、有線通信を加えて転送する本発明が、時間的に非常に有利となる。
【００３７】
またこのとき、第二者が有する携帯端末に、最寄りの公衆端末を検索させるとよい。このような検索は、無線通信を用いて、携帯端末から基地局に最寄りの公衆端末を検索するコマンドを送信することで行うことができる。
【００３８】
またデータ量の大小を判断する機能を、携帯電話に持たせてもよい。例えば、データ量や通信時間を表示し、一定の量や時間以上の場合警告を発する機能を搭載することができる。
【００３９】
なお本発明は、必ずしもデータ量の大小により無線通信と有線通信を分ける必要はない。例えば、優先度の高いデータと低いデータとに分けることも可能であり、優先度の高いデータを得るために無線通信を用い、優先度の低いデータを得るために有線通信を用いることができる。このような優先度は使用者の判断に委ねるところが大きいが、予め送信データに優先度を示すデータを含ませることもできる。このように、発信者側の判断を含ませることも可能であり、携帯端末の制御回路で判断させることができる。
【００４０】
またリアルタイム性の高いデータと低いデータとに分けることも可能であり、リアルタイム性の高いデータを得るために無線通信を用い、リアルタイム性の低いデータを得るために有線通信を用いることができる。このようなリアルタイム性も使用者の判断によるところがあるが、緊急事態であれば送信データにリアルタイム性を示すデータを含ませることもできる。このように、発信者側の判断を含ませることも可能であり、携帯端末の制御回路で判断させることができる。
【００４１】
また通信課金によって、無線通信又は有線通信を選択することも可能である。例えば時間をかけて膨大なデータを送信するため、基地局等へ負荷を与えると考えられるため、無線通信の使用量を有線通信よりも高額に設定するとよい。その結果、使用者は、高額であっても無線通信により得たいデータや、低額であれば有線通信から得れば足りるデータとに分けることもできる。
【００４２】
（実施の形態２）
本実施の形態では、公衆端末と携帯端末間に無線通信手段を設けた形態を説明する。
【００４３】
図２に示すように、本発明の通信システムにおいて、携帯端末は基地局に加え、公衆端末と無線通信を行うことができる。
【００４４】
このような通信システム内において、携帯端末を携帯する第一者が、携帯端末を携帯する第二者へ、あるデータ１を転送する場合を想定して説明する。
【００４５】
まず、第一者は携帯端末より、データ１を格納するアドレスを基地局へ転送する。アドレス自体のデータ量は小さいので無線通信による転送を用いる。
【００４６】
次に、このアドレスを受信した第二者は、携帯端末を用いて、付近の公衆端末（１）から（ｎ）のうち最寄りの公衆端末（１）を検索し、データを取得する公衆端末を決める。このような検索は、携帯端末から基地局に要求することで行うことができる。
【００４７】
次に、このアドレスを受信した第二者は、入手したアドレスを含むデータを公衆端末（１）へ無線通信により転送して、公衆端末（１）にデータ１を転送させる。すなわち、基地局による検索結果から、選択された公衆端末（１）に、第二者の携帯端末から無線通信によりデータ１の転送を指示するコマンドを実行させることができる。
【００４８】
その後、第二者は公衆端末（１）へ向かい、既に転送が完了した、又は転送中のデータ１を公衆端末（１）から携帯端末へ転送することができる。データ１の公衆端末、又は携帯端末への転送は有線通信によるものであり、高速に行うことができる。特に、公衆端末から携帯端末への転送は、局所的な転送であり非常に高速に行うことができる。このように本発明の携帯端末は付近の公衆端末の所在地を検索する機能と、選択した公衆端末へ所定のデータを転送させる機能を有する。
【００４９】
本実施の形態の通信システムでは、データ１の公衆端末への転送と、第二者による公衆端末（１）への移動を並列に行うことで、時間を短縮している。その結果、データ１を入手するまでの時間は、公衆電話にたどり着くまでの時間またはデータ１を公衆端末へ転送する時間の大きい方と、データ１を携帯端末へ転送する時間との和となり、上記実施の形態１で示した通信システムよりも短時間でのデータ入手を実現している。本実施例も、データが膨大になるほど、無線通信のみで入手する場合よりも時間的に有利になる。
【００５０】
またデータ量の大小を判断する機能を、携帯電話に持たせてもよい。例えば、データ量や通信時間を表示し、一定の量や時間以上の場合警告を発する機能を搭載することができる。
【００５１】
なお本発明は、必ずしもデータ量の大小により無線通信と有線通信を分ける必要はない。例えば、優先度の高いデータと低いデータ、リアルタイム性の高いデータと低いデータとに分けることも可能である。優先度は使用者の判断に委ねるところが大きいが、予め送信データに重要度を示すデータを含ませることによって、携帯電話側で判断することも可能である。
【００５２】
また通信課金によって、無線通信又は有線通信を選択することも可能である。例えば時間をかけて膨大なデータを送信するため、基地局等へ負荷を与えると考えられるため、無線通信の使用量を有線通信よりも高額に設定するとよい。その結果、使用者は、高額であっても無線通信により得たいデータや、低額であれば有線通信から得れば足りるデータとに分けることもできる。
【実施例】
【００５３】
以下に示す実施例を用いて、本発明の通信システムの具体例を示す。なお以下に示す実施例においては携帯端末を携帯電話とし、公衆端末を公衆電話として説明するが、本発明はこれに限定されるものではない。また公衆電話は本発明の公衆端末としての機能を有するものとする。
【００５４】
（実施例１）
本実施例では、本発明の通信システムに適用される検索システムについて説明する。
【００５５】
図５（A）に示すように、ある基地局Aの管轄する区域内に、使用者（図中現在地で示す）と、公衆電話T１からT３があるとする。基地局は、使用者の検索通信によって当該区域にいることを判断できる。基地局の管轄区域は予め決められているため、公衆電話T１からT３の場所を使用者に提供することができる。すなわち、基地局が特定できれば、使用者の携帯電話へ公衆電話を含む管轄区域の地図を送信することができる。
【００５６】
図５（B）には、地図を送信するシステムに関するフローチャートを示す。まず、使用者による無線通信を用いた検索が実行される（S３２）。すると、当該検索信号を受信した基地局によって、使用者の現在地が特定される（Ｓ33）。すると、基地局は、管轄区域の公衆電話T１からT３の所在を明記した地図を提供することができる（Ｓ34）。その後、使用者により公衆電話Ｔ１からＴ３の選択が行われ（Ｓ35）、選択された公衆電話のデータを基地局へ送信する。
【００５７】
このようにして、選択された公衆電話にデータの転送を行うようなコマンドを送信することができる（Ｓ36）。そして、当該公衆電話に通線通信によってデータを転送することができる（S37）。
【００５８】
このように公衆電話の地図を提供することにより、使用者がスムーズに公衆電話へ赴き、データ等を有線通信によって転送することができる。
【００５９】
本発明により、無線通信のみで入手する場合よりも、有線通信を加えて転送することができ、時間的に非常に有利となる。特にデータが膨大になるほど、本発明は顕著な効果を奏する。本発明は公衆電話と携帯電話間を有線通信とすることで、高速通信を実現することができる。
【００６０】
（実施例２）
本実施例では、本発明の通信システムを適用した一具体例を示す。
【００６１】
図３に示すように、第１の領域、例えばある駅や乗車中において、携帯電話を用いた無線通信によって観光情報や宿泊先等を検索する（ステップＡ）。すると、各サーバにネットワークを介して接続されている基地局から、情報が提供される（ステップＢ）。そして、携帯電話には、検索結果として表示され、使用者は結果を取得することができる（ステップＣ）。このとき、複数の情報（Ａ〜Ｃ）が提供されてよい。その後、使用者が複数の情報から所定の情報を選択することができる（ステップＤ）。所定の情報は、携帯電話によって基地局に送信される（ステップＥ）。このとき、携帯電話を用いて、使用したい公衆電話を検索することもできる。基地局は、携帯電話からの送信時に、当該携帯電話の区域を特定することができる。そして、当該区域に設けられている公衆電話機の地図を送信することができる。使用者は、その後の行き先等を考慮して、使用する公衆電話を選択する。そして、基地局へ、選択された公衆電話の情報も一緒に送信することができる。
【００６２】
基地局から、上位基地局へ選択された情報及び公衆電話箇所を送信する（ステップＦ）。上位基地局は選択された公衆電話へ、選択された情報を転送する（ステップＧ）。そして使用者は、第２の領域、つまり公衆電話のある場所へ行き、有線通信によって、携帯電話に情報を転送することができる（ステップＨ）。ステップＧにおいて、使用者が第２の領域へ着く前に、公衆電話へ情報を転送するよう実行させることもできる。予め情報を転送する場合、使用者はパスワード等を利用して、適切な情報を得ることができる。このようなパスワードも、データ量が小さいため無線通信により得ることができる。データ量が大きい場合、転送に時間がかかるが、予め転送を開始させておくことにより、短時間で携帯電話へ転送することができる。
【００６３】
このようにして使用者は携帯電話を用いた無線通信の検索並びに情報取得、及び有線通信によるデータの転送を行うことができる。
【００６４】
本発明により、無線通信のみで入手する場合よりも、有線通信を加えて転送することができ、時間的に非常に有利となる。特にデータが膨大になるほど、本発明は顕著な効果を奏する。
本発明は公衆電話と携帯電話間を有線通信とすることで、高速通信を実現することができる。
【００６５】
（実施例３）
本実施例では、本発明の通信システムを適用した一具体例を示す。例えば、使用者が休日のときに、携帯電話へ重要なメールが送信され、急いでメールに添付された資料を見なければならない状況がある。本実施例では、このような場合について、図４に示すフローチャートを参照しながら説明する。
【００６６】
使用者は無線通信によるメールを受信する（S22）。このメール内容に対して、添付資料など急遽見る必要のある資料（添付資料等）があるか否かを選択する（S23）。このような資料がある場合、使用者は携帯電話の画面において、yes等を選択する。すると、基地局は、携帯電話からの発信に基づき、使用者のいる区域を特定することができる（S２４）。基地局には、添付資料等が保存されているサーバが接続されており、当該基地局から添付資料が送られる。それと同時に公衆電話の地図が送信される（S25）。その後、使用者は添付資料を転送するための公衆電話を選択し、その情報を基地局へ送信する（S26）。ここまでは全て無線通信によって行われる。
【００６７】
そして、基地局は、上位基地局へ使用する公衆電話の情報を送信し、当該公衆電話へ添付資料等を転送するようコマンドを実行する。当該転送は有線通信によって行う。またさらに、使用者が公衆電話へ着く前に、当該添付資料等を転送するよう実行させることもできる。予め情報を転送する場合、使用者はパスワード等を利用して、適切な資料を得ることができる。このようなパスワードも、データ量が小さいため無線通信により得ることができる。添付資料等のデータ量が大きい場合、転送に時間がかかるが、予め転送を開始させておくことにより、短時間で携帯電話へ転送することができる。
【００６８】
このように有線通信によって転送された添付資料等を、公衆電話機から有線通信によって携帯電話へ転送することができる（Ｓ２７）。その結果、使用者は添付資料を得ることができる（Ｓ２８）。
【００６９】
このようにして使用者は携帯電話を用いた無線通信の検索並びに資料取得、及び有線通信による資料の転送を行うことができる。
【００７０】
本発明により、無線通信のみで入手する場合よりも、有線通信を加えて資料等をダウンロードすることができ、時間的に非常に有利となる。特にデータが膨大になるほど、本発明は顕著な効果を奏する。
本発明は公衆電話と携帯電話間を有線通信とすることで、高速通信を実現することができる。
【図面の簡単な説明】
【００７１】
【図１】本発明の通信システムを示した図である
【図２】本発明の通信システムを示した図である
【図３】本発明の通信システムを示した具体例を示す
【図４】本発明の通信システムを示したフローチャートである
【図５】本発明の通信システムを示したフローチャートである
【図１】
2006311400.tif 000003
【図２】
2006311400.tif 000004
【図３】
2006311400.tif 000005
【図４】
2006311400.tif 000006
【図５】
2006311400.tif 000007